(57)【特許請求の範囲】
【請求項１】
浄水精製管路の途中に設けた逆浸透膜で水道水から浄水を精製して貯留水槽に貯留し、当該貯留水槽に貯留している浄水を浄水供給管路に連通する吐水ノズルから容器に供給する浄水供給装置において、
前記容器を載置するための容器載置台と、廃水を収容する廃水タンクに連通している排水受部と、前記吐水ノズルを前記排水受部真上と前記容器載置台に載置されている前記容器の注入口真上とに移動させるノズル移動手段と、前記浄水供給装置を制御する制御手段と、を備え、
前記制御手段は、当該吐水ノズルを前記排水受部真上に待機させ、前記貯留水槽に貯留している浄水を前記容器に供給する都度、先ず、前記浄水供給管路内の滞留水を前記吐水ノズルから前記排水受部に排水し、その後に、前記ノズル移動手段を駆動して前記吐水ノズルを前記容器載置台に載置されている前記容器の注入口真上に移動させてから前記貯留水槽に貯留している浄水を前記容器に供給するように制御することを特徴とする浄水供給装置。
【発明の詳細な説明】
【技術分野】
【０００１】
本発明は、逆浸透膜で水道水から浄水を精製し、当該精製した浄水を容器に供給する浄水供給装置に関するものである。
【背景技術】
【０００２】
ＲＯ水（浄水）を吐水ノズルからボトル（容器）に供給して販売するＲＯ水自動販売機では、利用者が販売口のベンドステージ（容器載置台）にボトルを載置し、カードまたは貨幣を投入してＲＯ水吐水釦を押圧すると、ＲＯフィルタ（逆浸透膜）に浸透させて不純物を取り除いたＲＯ水が吐水ノズルからボトルに注がれて利用者に供される。
このようにしてボトルにＲＯ水を供給して販売する際には、販売の都度、ＲＯ水供給管路（浄水供給管路）内に残留している古くなったＲＯ水（滞留水）を販売口のベンドステージに排水してＲＯ水供給管路内を新鮮なＲＯ水で満たしてから販売するようにしている（例えば特許文献１参照）。
【特許文献１】特開２００２−２６９６３２号公報
【発明の開示】
【発明が解決しようとする課題】
【０００３】
しかしながら、塩素を含まないＲＯ水がベンドステージに排水されると、飛散したＲＯ水がベンドステージのスノコ状板や販売扉にカビを発生させる原因となったり、また、飛散して利用者にかかったり、ベンドステージに誤って置かれたボトルに滞留水が入ったりする虞があった。
本発明は、上記実情に鑑みて、ＲＯ水供給管路内の滞留水が販売口のベンドステージに排水されることをなくした浄水供給装置を提供することを目的とする。
【課題を解決するための手段】
【０００４】
上記目的を達成するため、本発明の請求項１に係る浄水供給装置は、浄水精製管路の途中に設けた逆浸透膜で水道水から浄水を精製して貯留水槽に貯留し、当該貯留水槽に貯留している浄水を浄水供給管路に連通する吐水ノズルから容器に供給する浄水供給装置において、
前記容器を載置するための容器載置台と、廃水を収容する廃水タンクに連通している排水受部と、前記吐水ノズルを前記排水受部真上と前記容器載置台に載置されている前記容器の注入口真上とに移動させるノズル移動手段と、前記浄水供給装置を制御する制御手段と、を備え、
前記制御手段は、当該吐水ノズルを前記排水受部真上に待機させ、前記貯留水槽に貯留している浄水を前記容器に供給する都度、先ず、前記浄水供給管路内の滞留水を前記吐水ノズルから前記排水受部に排水し、その後に、前記ノズル移動手段を駆動して前記吐水ノズルを前記容器載置台に載置されている前記容器の注入口真上に移動させてから前記貯留水槽に貯留している浄水を前記容器に供給するように制御することを特徴とする。
【発明の効果】
【０００５】
請求項１の発明によれば、容器を載置するための容器載置台と、廃水を収容する廃水タンクに連通している排水受部と、吐水ノズルを排水受部真上と容器載置台に載置されている容器の注入口真上とに移動させるノズル移動手段と、浄水供給装置を制御する制御手段と、を備え、制御手段は、吐水ノズルを排水受部真上に待機させ、貯留水槽に貯留している浄水を容器に供給する都度、先ず、浄水供給管路内の滞留水を吐水ノズルから排水受部に排水し、その後に、ノズル移動手段を駆動して吐水ノズルを容器載置台に載置されている容器の注入口真上に移動させてから貯留水槽に貯留している浄水を容器に供給する制御をするようにしたので、浄水供給管路内の滞留水が販売口の容器載置台に排水されることがなくなり、容器載置台に排水されて飛散した浄水が容器載置台のスノコ状板や販売扉にカビを発生させる原因となったり、また、飛散した浄水が利用者にかかったり、誤って容器載置台に置かれた容器に滞留水が入ったりする虞のない浄水供給装置を提供することが可能となる。
【発明を実施するための最良の形態】
【０００６】
以下に添付図面を参照して、本発明に係る浄水供給装置の好適な実施の形態について詳細に説明する。なお、この実施の形態によりこの発明が限定されるものではない。
（実施の形態１）
図１は本発明の実施の形態に係る浄水供給装置を備えたＲＯ水自動販売機の外観図である。ここで例示するＲＯ水自動販売機１は、利用者がカードまたは貨幣を投入してＲＯ水吐水釦を押圧すると、機内でＲＯフィルタ（逆浸透膜）に浸透させて不純物を取り除いたＲＯ水（浄水）をベンドステージ（容器載置台）に載置したボトル（容器）に吐水ノズルから供給して販売するもので、機器筐体の前面ドア２には、カードを投入するためのカード投入口３、貨幣を投入するための投入口４、投入したカードや貨幣を返却するための返却レバー５、貨幣を返却するための返却口６、ＲＯ水をベンドステージ９に載置したボトルに供給するためのＲＯ水吐水釦７、販売口８にはベンドステージ９と販売扉１０が設けられている。
図２は本発明の実施の形態１に係る浄水供給装置２０の水回路図である。水道に直結した給水管２１に弁を開閉して水道水の給水、停止を行う水入口弁２２を設け、水入口弁２２を開いて加圧ポンプ２４を駆動すると、フィルタ２３を通過して鉄さび、チリ、ホコリや塩素化合物が除去された水道水がＲＯ水精製管路（浄水精製管路）２６の途中に設けたＲＯフィルタ（逆浸透膜）２５に送られ、ＲＯフィルタ２５に浸透させて不純物が除去されて精製されたＲＯ水が流量センサ２７を介して貯留水槽２８に送られて貯留される。貯留水槽２８には殺菌灯２９が設けられ、貯留しているＲＯ水に紫外線を照射して殺菌が行われる。また、貯留センサ３０を設け、貯留しているＲＯ水が所定量を下回ると水入口弁２２を開いて加圧ポンプ２４を駆動してＲＯフィルタ２５で精製したＲＯ水を貯留水槽２８に供給し、所定の貯留量に達すると水入口弁２２を閉じて加圧ポンプ２４を停止させる。
【０００７】
貯留水槽２８に貯留されたＲＯ水は、販売ポンプ３２を駆動して販売弁３７を開くと、ＲＯ水供給管路（浄水供給管路）３１内の滞留水が吐水ノズル３８から排水された後に貯留水槽２８に貯留してあるＲＯ水がフィルタ３３を通過して残留物や雑菌が除去されて流量センサ３６を介して吐水ノズル３８から吐水する。また、所定時間ＲＯ水の販売が停止していると、販売ポンプ３２を駆動して循環弁３４を開くと、貯留水槽２８に貯留しているＲＯ水をフィルタ３３を通過させて循環管路３５から貯留水槽２８に循環させる。販売口８内で溢れたＲＯ水などは廃水タンク５０へと導かれて収容される。
図３は販売口８のベンドステージ９にボトルＢを載置している鳥瞰図を示し、販売口８の開口部は図中右側であり、その内部を表すためにその周囲を二点鎖線としている。販売口８の上面にはノズル移動装置（ノズル移動手段）３９が配設され、図４に示す制御部（制御手段）９０が駆動モータ４０に信号を出力するとノズル移動装置３９は吐水ノズル３８をベンドステージ９に載置されているボトルＢの注入口ｂｂの真上の位置（図中吐水ノズル３８で示す位置）と、廃水を収容する廃水タンク５０に連通している排水受部４９の真上の位置（図中吐水ノズルを３８ａで示す位置）とに移動させる。ノズル移動装置３９が吐水ノズル３８をボトルＢの注入口ｂｂの真上の位置（図中吐水ノズル３８で示す位置）と排水受部４９の真上の位置（図中吐水ノズルを３８ａで示す位置）とに移動させて停止させる位置決め機構の構成は自由であるが、一例として、トルクリミッタおよび突き当て部材による構成、マイクロスイッチによる構成、ステッピングモータによる構成、モータの回転時間制御による構成などが適用できる。
【０００８】
図４は浄水供給装置２０の制御ブロック図を示し、浄水供給装置２０を制御する制御部（制御手段）９０と、ＲＯ水をベンドステージ９に載置したボトルＢに供給するための信号を制御部９０に出力するＲＯ水吐水釦７と、ＲＯ水精製管路２６を通流するＲＯ水の流量を検出して流量信号を制御部９０に出力する流量センサ２７と、貯留水槽２８に貯留しているＲＯ水の貯留量を検出して貯留量信号を制御部９０に出力する貯留センサ３０と、ＲＯ水供給管路３１を通流するＲＯ水の流量を検出して流量信号を制御部９０に出力する流量センサ３６と、加圧ポンプ２４を駆動してＲＯ水を精製するときに弁を開いて水道水を給水する水入口弁２２と、貯留水槽２８に貯留しているＲＯ水に紫外線を照射して殺菌する殺菌灯２９と、販売弁３７を開いて貯留水槽２８に貯留しているＲＯ水を吐水ノズル３８から吐水するとき、および循環弁３４を開いて貯留水槽２８に貯留しているＲＯ水を循環させる販売ポンプ３２と、ノズル移動装置３９に設けられ、吐水ノズル３８をベンドステージ９に載置されているボトルＢの注入口ｂｂの真上の位置と、廃水を収容する廃水タンク５０に連通している排水受部４９の真上の位置とに移動させる駆動モータ４０と、が設けられている。
そして、利用者がベンドステージ９にボトルＢを載置してカードまたは貨幣を投入してＲＯ水吐水釦７を押圧すると、制御部９０はＲＯ水吐水釦７が押圧されて貯留水槽２８に貯留しているＲＯ水を吐水ノズル３８からボトルＢに供給して販売する都度、販売弁３７を開いて販売ポンプ３２を駆動して排水受部４９の真上の位置に待機させている吐水ノズル３８からＲＯ水供給管路３１内の滞留水を排水し、排水された滞留水は廃水タンク５０に収容される。そして、流量センサ３６が出力する滞留水の流量信号が所定値に達すると販売ポンプ３２を停止して販売弁３７を閉じる。尚、流量センサ３６が出力する滞留水の流量信号の所定値は予めＲＯ水供給管路３１内の滞留水容量から定めてある。
【０００９】
このようにしてＲＯ水供給管路３１内の滞留水の排水が完了すると、駆動モータ４０に信号を出力してノズル移動装置３９を駆動して吐水ノズル３８をベンドステージ９に載置されているボトルＢの注入口ｂｂの真上の位置に移動させてから販売弁３７を開いて販売ポンプ３２を駆動して貯留水槽２８に貯留してあるＲＯ水を吐水ノズル３８からボトルＢに供給する。流量センサ３６が出力するＲＯ水の流量信号が所定値（例えば４リットル）に達すると販売ポンプ３２を停止して販売弁３７を閉じる。ノズル移動装置３９は吐水ノズル３８を排水受部４９の真上の位置に移動させて停止させる（待機状態）。このようにしてベンドステージ９に載置されているボトルＢに所定量（例えば４リットル）のＲＯ水が供給されると供給終了表示（図示せず）が示され、利用者が販売口８の販売扉１０を開いてベンドステージ９に載置したボトルＢを取り出すとＲＯ水の販売が終了する。
このように、ＲＯ水精製管路２６の途中に設けたＲＯフィルタ２５で水道水からＲＯ水を精製して貯留水槽２８に貯留し、貯留水槽２８に貯留しているＲＯ水をＲＯ水供給管路３１に連通する吐水ノズル３８からボトルＢに供給する浄水供給装置２０において、ボトルＢを載置するためのベンドステージ９と、廃水を収容する廃水タンク５０に連通している排水受部４９と、吐水ノズル３８を排水受部４９の真上の位置とベンドステージ９に載置されているボトルＢの注入口ｂｂの真上の位置とに移動させるノズル移動装置３９と、浄水供給装置２０を制御する制御部９０と、を備え、制御部９０は、吐水ノズル３８を排水受部４９の真上の位置に待機させ、貯留水槽２８に貯留しているＲＯ水をボトルＢに供給する都度、先ず、ＲＯ水供給管路３１内の滞留水を吐水ノズル３８から排水受部４９に排水し、その後に、ノズル移動装置３９を駆動して吐水ノズル３８をベンドステージ９に載置されているボトルＢの注入口ｂｂの真上の位置に移動させてから貯留水槽２８に貯留しているＲＯ水をボトルＢに供給する制御をするようにしているので、ＲＯ水供給管路３１内の滞留水が販売口８のベンドステージ９に排水されることがなくなり、ベンドステージ９に排水されて飛散したＲＯ水がベンドステージ９のスノコ状板や販売扉１０にカビを発生させる原因となったり、また、飛散したＲＯ水が利用者にかかったり、誤ってベンドステージ９に置かれたボトルＢに滞留水が入ったりする虞のない浄水供給装置２０を提供することができる。
（実施の形態２）
つぎに、本発明の実施の形態２に係る浄水供給装置２０ａについて図５から図８を参照して説明する。なお、実施の形態１と同一構成に関しては同一符号を用いる。実施の形態１では、吐水ノズル３８を排水受部４９の真上の位置とベンドステージ９に載置されているボトルＢの注入口ｂｂの真上の位置とに移動させるノズル移動装置３９と、浄水供給装置２０を制御する制御部９０と、を備え、制御部９０は、吐水ノズル３８を排水受部４９の真上の位置に待機させ、貯留水槽２８に貯留しているＲＯ水をボトルＢに供給する都度、先ず、ＲＯ水供給管路３１内の滞留水を吐水ノズル３８から排水受部４９に排水し、その後に、ノズル移動装置３９を駆動して吐水ノズル３８をベンドステージ９に載置されているボトルＢの注入口ｂｂの真上の位置に移動させてから貯留水槽２８に貯留しているＲＯ水をボトルＢに供給する制御をするようにしているが、この実施の形態２では、吐水ノズル４２の上流に設けた供給弁４１と、ＲＯ水供給管路３１内の滞留水を排水受部４９に排水する排水ノズル４４と、排水ノズル４４の上流に設けた排水弁４３と、浄水供給装置２０ａを制御する制御部９１と、を備え、制御部９１は、貯留水槽２８に貯留しているＲＯ水をボトルＢに供給する都度、先ず、排水弁４３を開いてＲＯ水供給管路３１内の滞留水を排水ノズル４４から排水受部４９に排水し、その後に、供給弁４１を開いて吐水ノズル４２から貯留水槽２８に貯留しているＲＯ水をボトルＢに供給するように制御するようにしている。この実施の形態２においても、ＲＯ水供給管路３１内の滞留水が販売口８のベンドステージ９に排水されることがなくなり、ベンドステージ９に排水されて飛散したＲＯ水がベンドステージ９のスノコ状板や販売扉１０にカビを発生させる原因となったり、また、飛散したＲＯ水が利用者にかかったり、誤ってベンドステージ９に置かれたボトルＢに滞留水が入ったりする虞のない浄水供給装置２０ａを提供することができる。
【００１０】
図５は本発明の実施の形態２に係る浄水供給装置２０ａの水回路図を示し、図６は販売口８のベンドステージ９にボトルＢを載置している鳥瞰図を示し、販売口８の開口部は図中右側であり、その内部を表すためにその周囲を二点鎖線とし、図７は浄水供給装置２０ａの制御ブロック図を示し、図８は浄水供給装置２０ａの制御タイミングチャートを示す図である。販売口８のベンドステージ９に載置したボトルＢの注入口ｂｂの真上の位置にはＲＯ水供給管路３１に供給弁４１を介して吐水ノズル４２を設けている。また、排水受部４９の真上の位置にはＲＯ水供給管路３１に排水弁４３を介して排水ノズル４４を設けている。
そして、利用者がベンドステージ９にボトルＢを載置してカードまたは貨幣を投入してＲＯ水吐水釦７を押圧すると、制御部９１はＲＯ水吐水釦７が押圧されて貯留水槽２８に貯留しているＲＯ水を吐水ノズル４２からボトルＢに供給して販売する都度、図８に示すように、先ず排水弁４３を開いて販売ポンプ３２を駆動して排水受部４９の真上の位置に設けている排水ノズル４４からＲＯ水供給管路３１内の滞留水を排水し、排水された滞留水は廃水タンク５０に収容される。流量センサ３６が出力する滞留水の流量信号が所定値に達すると排水弁４３を閉じる。このようにしてＲＯ水供給管路３１内の滞留水の排水が完了すると、供給弁４１を開いて貯留水槽２８に貯留してあるＲＯ水を吐水ノズル４２から販売口８のベンドステージ９に載置してあるボトルＢに供給する。流量センサ３６が出力するＲＯ水の流量信号が所定値（例えば４リットル）に達すると販売ポンプ３２を停止して供給弁４１を閉じる。このようにしてベンドステージ９に載置されているボトルＢに所定量（例えば４リットル）のＲＯ水が供給されると供給終了表示（図示せず）が示され、利用者が販売口８の販売扉１０を開いてベンドステージ９に載置したボトルＢを取り出すとＲＯ水の販売が終了する。
【図面の簡単な説明】
【００１１】
【図１】本発明の実施の形態に係る浄水供給装置を備えたＲＯ水自動販売機の外観図である。
【図２】本発明の実施の形態１に係る浄水供給装置の水回路図である。
【図３】図２に示した販売口の鳥瞰図である。
【図４】図２に示した浄水供給装置の制御ブロック図である。
【図５】本発明の実施の形態２に係る浄水供給装置の水回路図である。
【図６】図５に示した販売口の鳥瞰図である。
【図７】図５に示した浄水供給装置の制御ブロック図である。
【図８】図５に示した浄水供給装置のタイミングチャート図である。
【符号の説明】
【００１２】
１      ＲＯ水自動販売機
７      ＲＯ水吐水釦
８      販売口
９      ベンドステージ（容器載置台）
２０      浄水供給装置
２０ａ    浄水供給装置
２２      水入口弁
２４      加圧ポンプ
２５      ＲＯフィルタ（逆浸透膜）
２６      ＲＯ水精製管路（浄水精製管路）
２７      流量センサ
２８      貯留水槽
２９      殺菌灯
３０      貯留センサ
３１      ＲＯ水供給管路（浄水供給管路）
３２      販売ポンプ
３４      循環弁
３６      流量センサ
３７      販売弁
３８      吐水ノズル
３９      ノズル移動装置（ノズル移動手段）
４０      駆動モータ
４１      供給弁
４２      吐水ノズル
４３      排水弁
４４      排水ノズル
４９      排水受部
５０      廃水タンク
９０      制御部（制御手段）
９１      制御部（制御手段）
Ｂ      ボトル（容器）
【図１】
0005156969.tif 000002
【図２】
0005156969.tif 000003
【図３】
0005156969.tif 000004
【図４】
0005156969.tif 000005
【図５】
0005156969.tif 000006
【図６】
0005156969.tif 000007
【図７】
0005156969.tif 000008
【図８】
0005156969.tif 000009